(57)【要約】【課題】  居住者に発生した異常を検知したらその居住者に関連する住戸に異常発生を通知する集合住宅インターホンシステムを提供する。【解決手段】  居住者がＩＤ信号を発信する無線送信機５を携行し、集合住宅の夫々異なる特定エリアに複数の無線受信機６を設置し、制御機４にＩＤ信号と受信場所と発報先の情報を記憶した制御機記憶部３０を設けた。無線受信機６が所定時間に亘り同一ＩＤ信号を受信し続けたら居住者異常検知信号を制御機４に送信し、制御機４はその信号を受けて、関連する居室親機２を制御機記憶部３０から読み出して異常発生をその機器に通報する。【選択図】  図１
2009033660.tif 000002
【特許請求の範囲】
【請求項１】
集合玄関に設置されて居住者を呼び出すための集合玄関機と、個々の住戸に設置されて呼び出しに応答するための居室親機と、前記集合玄関機と居室親機との間の通信を制御する制御機とを備えた集合住宅用インターホンシステムであって、
居住者が携行して居住者のＩＤ信号を発信する無線送信機と、
集合住宅の夫々異なる特定エリアにおいて前記無線送信機の発信信号を受信する複数の無線受信機とを備える一方、
前記無線受信機が受信するＩＤ信号の受信場所及び受信時間を管理するＩＤ情報管理手段と、前記ＩＤ情報管理手段が所定の条件を満たすＩＤ信号を検出した場合に、居室親機、管理室親機のうちの所定の機器に異常発生を通報する通報制御手段とを有することを特徴とする集合住宅用インターホンシステム。
【請求項２】
前記ＩＤ信号毎に通報先の機器を記憶したＩＤ情報記憶部を有し、
前記ＩＤ情報管理手段は、所定時間に亘り同一場所で同一ＩＤ信号を受信し続けた場合に、受信ＩＤ情報及び受信場所情報を含む居住者異常検知信号を前記通報制御手段に送出し、
前記通報制御手段は、前記居住者異常検知信号を受けて当該信号に含まれるＩＤ信号から通報先機器を前記ＩＤ情報記憶部から読み出し、居住者異常の検知を前記機器に通知することを特徴とする請求項１記載の集合住宅用インターホンシステム。
【請求項３】
前記ＩＤ情報記憶部は、ＩＤ信号受信場所毎の前記居住者異常検知信号の有効／無効が登録され、
前記通報制御手段は、有効と登録されたエリアからの前記居住者異常検知信号に対して居住者異常の検知を通知し、無効と登録されたエリアからの前記居住者異常検知信号は無視することを特徴とする請求項２記載の集合住宅用インターホンシステム。
【請求項４】
前記ＩＤ信号毎に通報先の機器を記憶したＩＤ情報記憶部を有し、
前記ＩＤ情報管理手段は、受信ＩＤ信号から個々のＩＤ信号の受信間隔を認識し、最後に受信から所定の時間が経過しても同一信号を受信しない場合に、居住者不明信号を前記通報制御手段に送出し、
前記通報制御手段は、前記居住者不明信号を受けて当該信号に含まれるＩＤ信号から通報先機器を前記ＩＤ情報記憶部から読み出し、居住者不在を前記機器に通知することを特徴とする請求項１記載の集合住宅用インターホンシステム。
【請求項５】
居住者の不在判定を集合住宅内の所定のエリアに対して実施するエリア記憶部を有し、
前記ＩＤ情報管理手段は、個々のＩＤ信号に対して前記エリア記憶部を参照し、設定エリア内でＩＤ信号が受信されない場合に居住者不明信号を送信することを特徴とする請求項４記載の集合住宅インターホンシステム。
【請求項６】
前記無線送信機及び前記無線受信機がＲＦＩＤで構成されることを特徴とする請求項１乃至５の何れかに記載の集合住宅用インターホンシステム。
【発明の詳細な説明】
【技術分野】
【０００１】
本発明は、集合住宅インターホンシステムに関し、詳しくは居住者に異常が発生した場合にそれを報知する機能を備えたインターホンシステムに関する。
【背景技術】
【０００２】
従来の集合住宅インターホンシステムでは、居住者が室内や共用部で倒れてしまった場合にそれを検出する機能は無く、人体検知センサ等を住戸内に設けて人の動きが検知できない場合に異常発生として通報する装置が別途設けられていた。
一方で、徘徊者の所在を確認できる機能をインターホンの一つであるナースコールに組み込んだシステムがある。例えば特許文献１では、患者に無線ペンダントを携行させると共に、各廊下灯を無線基地局として無線ペンダントの位置を廊下灯の受信エリアの範囲で把握可能としている。
【特許文献１】特開２００２−９９５７号公報
【発明の開示】
【発明が解決しようとする課題】
【０００３】
高齢者の増加に伴い、通常の住宅においても居住者が倒れる等の異常が発生した場合に、インターホンの回線及び居住者情報を利用してそれを検知できたり、徘徊により住戸内からいなくなった場合に、その状況をいち早く検知できれば便利である。この点、上記特許文献１のシステムを集合住宅用インターホンシステムに適用すれば別途システムを設置すること無く徘徊者を把握することが可能となる。
しかしながら、上記特許文献１の装置を集合住宅用インターホンシステムに適用するには送受信機器等にコストがかかるし、居住者が倒れた等の異常が発生した場合、それを検知することはできず、別途専用のシステムを設けなければならない。
そこで、本発明はこのような問題点に鑑み、居住者の異常を検知したり、不在となってしまった居住者の検知を安価に実現できる集合住宅インターホンシステムを提供することを目的としている。
【課題を解決するための手段】
【０００４】
上記課題を解決する為に、請求項１の発明は、集合玄関に設置されて居住者を呼び出すための集合玄関機と、個々の住戸に設置されて呼び出しに応答するための居室親機と、集合玄関機と居室親機との間の通信を制御する制御機とを備えた集合住宅用インターホンシステムであって、居住者が携行して居住者のＩＤ信号を発信する無線送信機と、集合住宅の夫々異なる特定エリアにおいて無線送信機の発信信号を受信する複数の無線受信機とを備える一方、無線受信機が受信するＩＤ信号の受信場所及び受信時間を管理するＩＤ情報管理手段と、ＩＤ情報管理手段が所定の条件を満たすＩＤ信号を検出した場合に、居室親機、管理室親機のうちの所定の機器に異常発生を通報する通報制御手段とを有することを特徴とする。
この構成によれば、受信するＩＤ信号の受信場所及び時間を管理することで、場所情報により動かなくなった居住者を検出することが可能であるし、特定の場所から居なくなった居住者或いは所在不明になった居住者を検出することが可能となる。そのため、インターホンの設備を利用する安価な構成で、居住者特に高齢者に優しい集合住宅用インターホンシステムを提供できる。
【０００５】
請求項２の発明は、請求項１に記載の発明において、ＩＤ信号毎に通報先の機器を記憶したＩＤ情報記憶部を有し、ＩＤ情報管理手段は、所定時間に亘り同一場所で同一ＩＤ信号を受信し続けた場合に、受信ＩＤ情報及び受信場所情報を含む居住者異常検知信号を通報制御手段に送出し、通報制御手段は、居住者異常検知信号を受けて当該信号に含まれるＩＤ信号から通報先機器をＩＤ情報記憶部から読み出し、居住者異常の検知を機器に通知することを特徴とする。
この構成によれば、集合住宅内において移動しない居住者を認識でき、その居住者に関連する住戸等に通知することができる。よって、高血圧者や高齢者等の健康状態に不安のある人に無線送信機を携帯させれば、倒れる等の不測の事態を速やかに認識でき、緊急時にスムーズに対応することが可能となる。
【０００６】
請求項３の発明は、請求項２に記載の発明において、ＩＤ情報記憶部は、ＩＤ信号受信場所毎の居住者異常検知信号の有効／無効が登録され、通報制御手段は、有効と登録されたエリアからの居住者異常検知信号に対して居住者異常の検知を通知し、無効と登録されたエリアからの居住者異常検知信号は無視することを特徴とする。
この構成によれば、個々の居住者に対して立ち止まる可能性のある住戸やエリアに対しては、所定時間に亘り居住者が居続けた場合でも、それを異常発生と通知しないよう設定できる。よって、誤報の少ないシステムを提供できる。
【０００７】
請求項４の発明は、請求項１に記載の発明において、ＩＤ信号毎に通報先の機器を記憶したＩＤ情報記憶部を有し、ＩＤ情報管理手段は、受信ＩＤ信号から個々のＩＤ信号の受信間隔を認識し、最後に受信から所定の時間が経過しても同一信号を受信しない場合に、居住者不明信号を通報制御手段に送出し、通報制御手段は、居住者不明信号を受けて当該信号に含まれるＩＤ信号から通報先機器をＩＤ情報記憶部から読み出し、居住者不在を機器に通知することを特徴とする。
この構成によれば、集合住宅内や集合住宅内の特定エリアに居ない居住者を認識することができる。よって、徘徊者等に無線送信機を携帯させることで、集合住宅から出て行った場合等を速やかに認識でき、徘徊者が遠くに出かけてしまう前に対処することが可能となる。
【０００８】
請求項５の発明は、請求項４に記載の発明において、居住者の不在判定を集合住宅内の所定のエリアに対して実施するエリア記憶部を有し、ＩＤ情報管理手段は、個々のＩＤ信号に対してエリア記憶部を参照し、設定エリア内でＩＤ信号が受信されない場合に居住者不明信号を送信することを特徴とする。
この構成によれば、集合住宅から出なくても、例えば自宅のあるフロアや、家族の居る他の住戸以外に出かけた場合に報知させることができ、徘徊者に対して早期に対処することができる。
【０００９】
請求項６の発明は、 請求項１乃至５の何れかに記載の発明において、無線送信機及び無線受信機がＲＦＩＤで構成されることを特徴とする。
この構成によれば、無線送信機を小型にできるので携行し易い。また、発信電波は微弱電波であるため、居住者が医療機器を携行していても影響を及ぼすことがないし、送受信機器を安価に構成できる。
【発明の効果】
【００１０】
本発明によれば、動かなくなった居住者や徘徊者を検出することが可能となり、インターホンの設備を利用する安価な構成で、高齢者に優しい集合住宅用インターホンシステムを提供することができる。
【発明を実施するための最良の形態】
【００１１】
以下、本発明を具体化した実施の形態を、図面に基づいて詳細に説明する。図１は本発明に係る集合住宅用インターホンシステムの一例を示す構成図であり、一部ブロック図で示している。図１において、１は居住者を呼び出すための集合玄関機、２，２・・は呼び出しに応答するための居室親機、３は管理室に設置される管理室親機、４は機器間の通信を制御する制御機、５，５・・は居住者が携行してＩＤ信号を発信する無線送信機、６は無線送信機が送信するＩＤ信号を受信する無線受信機である。
【００１２】
集合玄関機１は、ロビー等の集合玄関に設置され、居住者を選択して呼び出すための操作部９及び呼出ボタン１０、通話のためのマイク１１ａ及びスピーカ１１ｂ、来訪者を撮像するための玄関機カメラ１２を備えている。また、居室親機２は、各住戸に設置されて呼び出しに応答するための通話ボタン１４、ハンドセット１５、玄関機カメラ１２の撮像映像を表示する親機モニタ１６、映像の録画等各種操作を行う操作部１７を備えている。
また、管理室親機３は、通話のためのハンドセット２０、玄関機カメラ１２の撮像映像を表示する管親モニタ２１、タッチパネルから成る操作部２２を有し、集合玄関機１及び居室親機２と通話が可能となっている。
【００１３】
無線送信機５と無線受信機６は、ＲＦＩＤ（Ｒadio  Ｆrequency  ＩＤentification）で構成されている。無線送信機５にはＲＦＩＤタグ（ＩＣタグ）が内蔵され、無線受信機６のＩＤ要求信号を受けてＩＤ信号を送信するよう構成されている。無線受信機６は、無線送信機５が送信するＩＤ信号を受信するＲＦＩＤ受信部２４、タイマ（受信機タイマ）２５、制御機４と通信するためのインターフェース（受信機ＩＦ）２６、無線受信機６を制御するＣＰＵ（受信機ＣＰＵ）２７を備えている。
【００１４】
尚、無線送信機５は、少なくとも健康状態に不安のある居住者や徘徊する傾向のある居住者が携行し、無線受信機６は、各住戸内、廊下やロビー等の共用部に所定間隔で設置され、無線送信機５を携行した居住者が集合住宅内にいる場合は何れかの無線受信機がＩＤ信号を受信できるよう構成されている。
【００１５】
制御機４は、無線送信機５が送信するＩＤ信号と受信場所（無線受信機設置場所）と通報先の機器の関係を記憶した制御機記憶部３０、タイマ（制御機タイマ）３１、制御機４を制御するＣＰＵ（制御機ＣＰＵ）３２、各機器との通信を行うためのインターフェース（制御機ＩＦ）３３を有している。制御機記憶部３０には、図２に示すようなＩＤ番号と受信場所（住戸番号や共用部名で記載）、発報先の住戸番号（居室親機や管理室親機）の関係を登録したデータベースが記憶されている。
尚、図２において、有効／無効の記載は、ＩＤ信号を受信した無線受信機６が所定の信号を制御機４に送信した場合に、制御機４がその信号を有効として所定の発報制御を実施するか、無効として発報制御を行わないかの設定が成されている。
【００１６】
このように構成された集合住宅用インターホンシステムは動作は以下のようである。但し、集合玄関機１から居室親機２を選択して呼び出し、居住者との間で通話する基本動作は従来と同様であるため説明を省略し、無線送信機５と無線受信機６の動作を中心に、居住者に異常が発生した場合の検知動作、徘徊する居住者の検知動作を説明する。
【００１７】
先ず、居住者に異常が発生した場合の動作を図３のフローチャートを基に説明する。各住戸及び廊下等に備えられた無線受信機６は一定間隔でＩＤ信号の読込動作を実施し、無線送信機５を携行した居住者が近づいてきたら、その無線送信機５が発信するＩＤ信号を受信する（Ｓ１）。そして、読み取ったＩＤ信号が初めて受信するＩＤ信号である場合に、無線受信機６は受信機タイマ２５を動作させて所定時間の計時をスタートする。その後、引き続き一定間隔で受信動作がなされて受信ＩＤ信号を確認（Ｓ２）し、前回と同一のＩＤ信号であるか判断（Ｓ３）する。同一であればカウントを継続し、そうでなければカウントを終了する。こうして、同一のＩＤ信号を受信し続けた場合は、受信機タイマ２５がやがてタイムアウトし（Ｓ４）、受信ＩＤ情報を含む居住者異常検知信号が制御機４に送信される。
【００１８】
居住者異常検知信号を受信した制御機４は、受信した信号に含まれるＩＤ信号及び場所情報から、制御機記憶部３０に記憶されている有効／無効情報、及び発報先情報とを照合し、有効と登録されている場所でＩＤ信号が受信された場合は、関連付けられている居室親機２或いは管理室親機３を検索（Ｓ５）して、登録されている機器に警報信号が送信される。警報信号を受信した居室親機２等は、警報音を鳴動させ（Ｓ６）、警報信号に含まれる居住者情報及び場所情報を基に親機モニタ１６等に検出された居住者情報及び検出場所情報が出力される。
【００１９】
例えば、図２のデータベースから、住戸１０１Ａに設置されている無線受信機６からＩＤ番号００２の居住者異常検知信号を制御機が受信した場合、ＩＤ番号００２に対して住戸１０１Ａは有効設定となっていることから、発報先である住戸３２１Ａの居室親機２に対して警報信号を送信する。また、住戸１０１Ａに設置されている無線受信機６からＩＤ番号００３の居住者異常検知信号を受信した場合は、無効設定となっているため受信した居住者異常検知信号を無効として破棄し、警報信号を何処にも送信しない。
【００２０】
このように、集合住宅内において移動しない居住者を認識でき、その居住者に関連する住戸等に通知することができるので、高血圧者や高齢者等の健康状態に不安のある人に無線送信機を携帯させれば、倒れる等の不測の事態を速やかに認識でき、緊急時にスムーズに対応することが可能となる。
また、有効／無効の設定により、個々の居住者に対して立ち止まる可能性のある住戸やエリアに対しては、所定時間に亘り居住者が居続けた場合でも、それを異常発生と通知しないよう設定できるので、誤報の少ないシステムを提供できる。
更に、ＲＦＩＤを使用することで、無線送信機を小型にできるので携行し易いし、発信電波は微弱電波であるため、居住者が医療機器を携行していても影響を及ぼすことがない。
【００２１】
次に、居住者が徘徊を始めた場合について、その検知動作を図４のフローチャートを基に説明する。上記異常検知と同様に、無線受信機６は一定間隔で受信動作が成され、居住者が近づいてきたら携行されている無線送信機５のＩＤ信号を受信する。そして、ＩＤ信号を受信したら、場所情報と受信ＩＤ情報を含む所在確認信号を制御機４に送信する。
【００２２】
制御機４は、受信した所在確認信号が制御機記憶部３０に予め所在確認登録されているＩＤ信号を含む信号であれば、受信する毎に受信時刻を記憶して制御機タイマ３１により所定時間の計時をスタートさせる。そして、この制御機タイマ３１のカウントアウトを判断（Ｓ１１）する。カウントアウトする前に、何れかの無線受信機６から同一ＩＤの受信信号を入手したら（Ｓ１４）、制御機タイマ３１はリセットされて新たなカウントをスタートする（Ｓ１５）。
【００２３】
そして、制御機タイマ３１が所定時間の計時を完了してカウントアウトしたら、即ち、所定時間の間、タイマカウントをスタートした特定のＩＤ信号が一度も受信されなかったら、カウントアウトしたＩＤ信号に関連する発報先が制御機記憶部３０に記憶されている図２に示すようなデータベースから選択され、居住者不明信号が送信される。警報信号を受けた居室親機２等は、警報音を鳴動させると共にＩＤ信号に対応する居住者の所在が不明である旨の表示が親機モニタ１６等に表示される。
【００２４】
このように、居住者の所在が不明になったらそれを検知することができるので、徘徊者が集合住宅から出て行った場合等を速やかに認識でき、徘徊者が遠くに出かけてしまう前に対処することが可能となる。
【００２５】
尚、上記徘徊者検知動作では、制御機タイマ３１による所定時間の計時、及び警報発報先の選択制御等を全て制御機４で実施しているが、居住者不明を判定して居住者不明信号を生成するＩＤ情報管理部と、不在者の発生を検知した場合にそれを通報制御する通報制御手段とを独立して設けても良く、例えば、制御機４にＩＤ情報管理部を設けて、各居室親機２，２・・や管理室親機３に通報制御手段を設けて良い。居室親機２や管理室親機３に、関連する居住者のＩＤ情報を登録することで、そのＩＤ情報に関する不在者発生の通報を受けた場合のみ発報動作させればよい。
【００２６】
また、一定時間に亘り同一のＩＤ信号を受信できない場合の発報動作を、全ての無線受信機６が受信しなかった場合、即ち集合住宅から出て行った場合に発報して不在と判断するよう制御させているが、一部のエリア、例えば徘徊者の住戸のあるフロアから他のフロアに出て行った場合に発報動作するよう構成しても良い。この場合は、各無線送信機５に対して、有効エリア／無効エリアを設定したマップを作成して、制御機４等に記憶させることで容易に実施でき、徘徊者が集合住宅から出てしまう前に検知できるので、徘徊者に対して早期に対処することが可能となる。
【図面の簡単な説明】
【００２７】
【図１】本発明に係る集合住宅インターホンシステムの実施形態の一例を示す構成図である。
【図２】制御機記憶部が記憶しているＩＤ信号と受信場所と通報先の関係を示す表図である。
【図３】居住者の異常を検知する動作の流れを示すフローチャートである。
【図４】居住者の不在を検知する動作の流れを示すフローチャートである。
【符号の説明】
【００２８】
１・・集合玄関機、２・・居室親機、３・・管理室親機、４・・制御機、５・・無線送信機、６・・無線受信機、１６・・親機モニタ、２１・・管親モニタ、２４・・ＲＦＩＤ受信部、２５・・受信機タイマ、２７・・受信機ＣＰＵ（ＩＤ情報管理手段）、３０・・制御機記憶部（ＩＤ情報記憶部）、３１・・制御機タイマ、３２・・制御機ＣＰＵ（ＩＤ情報管理手段、通報制御手段）。
【図１】
2009033660.tif 000003
【図２】
2009033660.tif 000004
【図３】
2009033660.tif 000005
【図４】
2009033660.tif 000006